(57)【特許請求の範囲】
【請求項１】
体の対象エリアからの赤外線放射を検出する赤外線センサーを有する赤外線センサーアセンブリと、
前記対象エリアからの温度計の距離を測定するように構成された距離センサーと、
少なくとも、前記赤外線センサーアセンブリおよび前記距離センサーに動作可能に接続され、少なくとも１つの既定の対象エリアの既定の温度、および前記少なくとも１つの既定の対象エリアからの既定の距離に関連付けられて前記体の前記対象エリアに応じて変化する既定の補償情報と、を記録するメモリーコンポーネントと、
少なくとも前記メモリーコンポーネントに動作可能に接続され、少なくとも、前記対象エリアからの前記赤外線放射と、前記対象エリアからの前記温度計の距離と、前記既定の補償情報と、に基づいて補償された温度を測定するように構成されたマイクロプロセッサーを備えることを特徴とする非接触医療用温度計。
【請求項２】
前記既定の補償情報がさらに既定の口腔および／または口腔同等の温度に関連付けられていることを特徴とする請求項１に記載の非接触医療用温度計。
【請求項３】
前記少なくとも１つの既定の対象エリアの前記既定の温度が、前記既定の対象エリアの臨床測定値に基づいていることを特徴とする請求項１に記載の非接触医療用温度計。
【請求項４】
前記少なくとも１つの対象エリアが額であることを特徴とする請求項１に記載の非接触医療用温度計。
【請求項５】
前記既定の補償情報が線形数学関数として構成されていることを特徴とする請求項３に記載の非接触医療用温度計。
【請求項６】
前記数学関数は、Ｔｃが補償された温度であり、Ｔｔが対象エリアの温度であり、ＡおよびＢが係数であり、ｄが対象エリアから温度計までの距離である場合に、
Ｔｃ＝Ｔｔ＋Ａ＊ｄ＋Ｂ
であることを特徴とする請求項５に記載の非接触医療用温度計。
【請求項７】
Ａが略０．０５°Ｆ／ｃｍであり、且つ、Ｂが略０．１°Ｆであることを特徴とする請求項６に記載の非接触医療用温度計。
【請求項８】
ｄが略１５ｃｍ以下の場合に、Ａが略０．０５°Ｆ／ｃｍであり、且つ、Ｂが略０．２°Ｆであり、ｄが略１５ｃｍより大きいときに、Ａが略０．１５°Ｆ／ｃｍであり、且つ、Ｂが略０．１°Ｆであることを特徴とする請求項６に記載の非接触医療用温度計。
【請求項９】
前記既定の補償情報がルックアップテーブルとして構成されていることを特徴とする請求項３に記載の非接触医療用温度計。
【請求項１０】
前記既定の補償情報が１つ以上のオフセット値として構成されていることを特徴とする請求項３に記載の非接触医療用温度計。
【請求項１１】
第１のオフセット値が前記医療用温度計と前記対象エリアとの間の第１の距離範囲に用いられるとともに、第２のオフセット値が前記医療用温度計と前記対象エリアとの間の第２の距離範囲に用いられることを特徴とする請求項１０に記載の非接触医療用温度計。
【請求項１２】
前記１つ以上のオフセット値は、略華氏０．０度から華氏５．０度の間であることを特徴とする請求項１０に記載の非接触医療用温度計。
【請求項１３】
前記１つ以上のオフセット値は、略華氏０．１度のただ１つのオフセット値であることを特徴とする請求項１０に記載の非接触医療用温度計。
【請求項１４】
前記既定の補償情報がさらに前記赤外線センサーの温度に関連付けられていることを特徴とする請求項３に記載の非接触医療用温度計。
【請求項１５】
前記既定の補償情報がさらに周囲環境の温度に関連付けられていることを特徴とする請求項３に記載の非接触医療用温度計。
【請求項１６】
前記距離センサーは、前記対象エリアに向けて電磁波を放射し、前記対象エリアから反射された前記放射された電磁波の少なくとも一部をとらえ、距離信号を前記マイクロプロセッサーに伝達するように構成され、
前記マイクロプロセッサーは、前記距離信号および前記反射された電磁波の特性に基づいて、前記温度計と前記対象エリアとの間の距離に対応する距離値を測定するように構成される
ことを特徴とする請求項１に記載の非接触医療用温度計。
【請求項１７】
赤外線温度計と体の対象エリアとの間の少なくとも１つの既定の距離と、前記対象エリアの少なくとも１つの既定の温度と、に関連付けられて前記対象エリアに応じて変化する既定の補償情報を含むメモリーを有する前記赤外線温度計を前記対象エリアに隣接させて保持し、そして
前記赤外線温度計と前記対象エリアとの間の距離を測定し、前記対象エリアの温度を測定し、前記既定の補償情報と、前記測定した距離と、前記測定した対象エリアの温度と、に基づいて補償した温度を測定するために前記赤外線温度計を始動する、
ことを特徴とする補償された温度を測定する方法。
【請求項１８】
前記対象エリアが額であることを特徴とする請求項１７に記載の方法。
【請求項１９】
前記既定の補償情報が線形数学関数として構成されていることを特徴とする請求項１７に記載の方法。
【請求項２０】
前記数学関数は、Ｔｃが前記補償された温度であり、Ｔｔが前記対象エリアの温度であり、ＡおよびＢが係数であり、ｄが前記対象エリアから前記温度計までの前記距離である場合に、
Ｔｃ＝Ｔｔ＋Ａ＊ｄ＋Ｂ
であることを特徴とする請求項１９に記載の方法。
【請求項２１】
Ａが略０．０５°Ｆ／ｃｍであり、且つ、Ｂが略０．１°Ｆであることを特徴とする請求項２０に記載の方法。
【請求項２２】
ｄが略１５ｃｍ以下の場合に、Ａが略０．０５°Ｆ／ｃｍであり、且つ、Ｂが略０．２°Ｆであり、また、ｄが略１５ｃｍより大きいときに、Ａが略０．１５°Ｆ／ｃｍであり、且つ、Ｂが略０．１°Ｆであることを特徴とする請求項２０に記載の方法。
【請求項２３】
前記既定の補償情報がルックアップテーブルとして構成されていることを特徴とする請求項１７に記載の方法。
【請求項２４】
前記既定の補償情報が１つ以上のオフセット値として構成されていることを特徴とする請求項１７に記載の方法。
【請求項２５】
第１のオフセット値が前記温度計と前記対象エリアとの間の第１の距離範囲に用いられるとともに、第２のオフセット値が前記温度計と前記対象エリアとの間の第２の距離範囲に用いられることを特徴とする請求項２４に記載の方法。
【請求項２６】
前記１つ以上のオフセット値は、略華氏０．０度から華氏５．０度の間であることを特徴とする請求項２４に記載の方法。
【請求項２７】
前記１つ以上のオフセット値は、略華氏０．１度のただ１つのオフセット値であることを特徴とする請求項２４に記載の方法。
【請求項２８】
前記既定の補償情報がさらに前記温度計の赤外線センサーの温度に関連付けられていることを特徴とする請求項１７に記載の方法。
【請求項２９】
前記既定の補償情報がさらに周囲環境の温度に関連付けられていることを特徴とする請求項１７に記載の方法。
【請求項３０】
ユーザーの額からの赤外線放射を検出し、ユーザーの口からの赤外線放射を検出することができる赤外線センサーを含む赤外線センサーアセンブリと、
前記ユーザーの額から温度計までの距離および前記ユーザーの口から温度計までの距離を測定すべく構成された距離センサーと、
少なくとも、前記赤外線センサーアセンブリおよび前記距離センサーに動作可能に接続され、臨床的に予め設定された温度を、前記額から既定の距離での前記額の温度値に関連付けた第１の既定のオフセット値と、臨床的に予め設定された温度を前記口から既定の距離での口及び／又は口と同等の温度値に関連付けた第２の既定のオフセット値と、周囲環境または前記温度計の温度とを少なくとも含むメモリーコンポーネントと、
少なくとも前記メモリーコンポーネントに動作可能に接続され、前記ユーザーの額からの前記赤外線放射、前記ユーザーの額から前記温度計までの距離、および前記第１の既定のオフセット値に基づいて補償された額の温度を測定し、前記ユーザーの口からの前記赤外線放射、前記ユーザーの口から前記温度計までの距離、および前記第２の既定のオフセット値に基づく補償された口及び／又は口と同等の温度を測定すべく構成されたマイクロプロセッサーと、を備える
ことを特徴とする非接触医療用温度計。
【請求項３１】
前記第１および第２の既定オフセット値の少なくとも１つが、華氏略０．０度から華氏略５．０度の間であることを特徴とする請求項３０に記載の非接触医療用温度計。
【請求項３２】
前記第１および第２の既定オフセット値の少なくとも１つが、華氏略０．１度のただ１つのオフセット値であることを特徴とする請求項３０に記載の非接触医療用温度計。
【発明の詳細な説明】
【技術分野】
【０００１】
本発明は、一般的に温度を計測する装置に関するものであり、特に、医療用に用いられる非接触赤外線温度計に関する。
【背景技術】
【０００２】
本出願は、その開示内容の全内容がここに参考文献として援用される２０１２年１１月１９日付けで提出された米国仮出願番号６１／７２８，０１５の優先権を主張する。
熱放射もしくは赤外線（ＩＲ）温度計は、測定対象に物理的に接触することなく温度を測定可能な装置である。よって、これらの温度計は、しばしば「非接触」または「間接的」温度計と呼ばれる。赤外線温度計では、対象の温度が、対象の表面からおのずと発散される赤外線放射の強度を検出することによって測定される。０℃から１００℃の間の対象では、略３から４０マイクロメーターの波長を有する放射を検出するための赤外線センサーが必要である。一般的に、この範囲の赤外線は、熱放射と呼ばれる。
【０００３】
赤外線温度計の一例は、人間もしくは動物の耳道の鼓膜および周辺組織の温度計測を行うことができる「瞬間耳」医療用温度計（体温計）である。瞬間耳医療用温度計は、その全体が本明細書に参考として組み込まれるフレーデン（Ｆｒａｄｅｎ）の米国特許第４，７９７，８４０号（特許文献１）に例証されている。他の例には、その全体が本明細書に参考として組み込まれる、クラウズ（Ｋｒａｕｓ）の米国特許第６，７８９，９３６号（特許文献２）に例証されている皮膚表面の温度（例えば、額の皮膚表面の温度）を測るための医療用温度計が含まれる。
【０００４】
赤外線放射に基づいて対象の表面温度を計測するためには、赤外線放射は、検出され、そして、一般的な電気回路で処理するために適切な電気信号に変換される。赤外線放射を検出するタスクは、赤外線センサーもしくは検出器（ディテクター）により実現される。
【０００５】
一般的な赤外線センサーは、通常赤外線を通す窓またはフィルターを有する筐体と、赤外線センサーの赤外線窓を通って、検出部に到達する対象の表面から発せられる熱放射エネルギー束Φに反応する少なくとも１つの検出部と、を有する。赤外線センサーは、計測対象と検出部との間に存在する正味の赤外線束Φを表す電気信号を生成するように機能する。電気信号は、適切なデータ処理によって対象の温度と関連付けることができる。
【０００６】
実務上、医療用温度計のユーザーは、赤外線温度計が直接的に測定するには不向きかもしれない対象（例えば、人間または動物）の温度の測定に頻繁に関わっている。よって、いくつかの非接触医療用温度計は、人間の特定の体の一部分の温度が、別の一部分の計測に基づいて測定されるように設計されている。例えば、対象の額の温度の計測に基づいて、対象の口の温度（口腔温度）を測定する非接触赤外線温度計がある。この測定は、一般的に、医学的に特定された、計測された体の一部分、例えば対象の口、の温度と、体の別の部分、例えば対象の額、の温度との関係に基づいて、予め設定された補償関数および／または予め設定されたルックアップテーブルを用いて実行される。
【０００７】
赤外線温度計によって生成される温度読み取り値は、赤外線センサーと体の部分との距離にいくぶん敏感である。よって、赤外線センサーと対象との間の距離を検出可能な赤外線温度計は、これらの機能を有さない赤外線温度計に比べてはるかに高精度に温度を測定するために、この距離情報を用いるかもしれない。例えば、ある赤外線温度計は、赤外線温度計が対象から予め決められた距離だけ離れた位置に配置された際に最も望ましい計測を行うように設計されている。その全体が本明細書に参考として組み込まれるチェン（Ｃｈｅｎ）らの米国特許第７，８１０，９９２号（特許文献３）は、電磁波放射および受光装置を含む赤外線温度計を開示している。電磁波放射および受光装置は、（１）対象によって反射される電磁波を放射し、（２）対象によって反射された電磁波を受け、そして（３）赤外線センサーと対象との距離が予め設定された距離範囲内かどうかを反射された電磁波の特徴に基づいて判定することによって、赤外線センサーと対象との間の距離を測定可能である。この赤外線温度計は、赤外線温度計が所定距離範囲以内に配置されたか否かを特定するために、距離測定ルーチンを実行してもよい。赤外線温度計が予め設定された距離範囲以内であることが確定した上で、赤外線温度計は対象の温度を測定しても良い。
【先行技術文献】
【特許文献】
【０００８】
【特許文献１】米国特許第４，７９７，８４０号明細書
【特許文献２】米国特許第６，７８９，９３６号明細書
【特許文献３】米国特許第７，８１０，９９２号明細書
【発明の概要】
【発明が解決しようとする課題】
【０００９】
このような方法は温度測定の精度を向上することができる一方、これらの方法は、赤外線温度計の位置を測定し、また、温度を測定している間その位置に温度計を維持する余分な作業を必要とする。これらの作業は煩雑であり、また手間がかかるものである。さらに、これらの作業は、このような赤外線温度計が、さもなければ提供するだろう精度の向上を相殺するかもしれないユーザーエラーにしばしば至る。
それゆえに、赤外線温度計が対象から所定の距離に配置され維持される必要なく、赤外線温度計の精度を向上することができればさらなる便益となる。
【課題を解決するための手段】
【００１０】
本発明の様々な実施形態によれば、非接触赤外線温度計は、その他のものと共に、赤外線センサーと、距離センサーと、マイクロプロセッサーと、マイクロプロセッサーと通信可能に構成されたメモリーと、マイクロプロセッサーからの入力を受信するように構成されたユーザーインターフェイス装置と、を含んでいる。メモリーは、体の同一部分または体の別の部分の計測に基づいて、体の一部分の補償された温度を測定するために用いられるかもしれない補償情報、例えば、ルックアップテーブルまたは数学関数、を含んでいる。例えば、補償情報は、額の計測温度に基づいて、額の補償された温度を測定するのに用いられるかもしれない。もしくは、補償情報は、額の計測温度に基づいて、補償された口腔または口腔と同等の温度を測定するために用いられるかもしれない。赤外線温度計は、対象物の温度、周囲温度または温度計の温度、および、赤外線温度計と対象との距離を、同時にまたは順に計測するように構成されているかもしれない。マイクロプロセッサーは、これらの値および補償情報を補償された温度を測定するために用いるかもしれない、そしてこの温度を、補償された温度をさらにユーザーに伝達するかも知れないユーザーインターフェイス装置に伝達するかもしれない。
【図面の簡単な説明】
【００１１】
本発明の、上述のおよび他の特徴は、以下の詳細な説明とこの発明の実施形態を示す図面とから当業者には更に容易に理解されるであろう。
【図１】本発明の実施形態を示すブロック図である。
【図２】本発明の実施形態に係る補償された温度を測定する方法を示すフローチャートである。
【発明を実施するための形態】
【００１２】
その他のものと共に、少なくとも赤外線センサーおよび赤外線センサーの温度を検出するセンサーを備えた赤外線センサーパッケージもしくはアセンブリと、電磁波エミッタおよびレシーバ装置と、マイクロプロセッサーと、マイクロプロセッサーと通信すべく構成された補償情報を含むメモリーと、マイクロプロセッサーからの入力を受信するように構成されたユーザーインターフェイス装置と、を含む遠隔赤外線温度計が開示されている。本発明の様々な実施形態に従って、原理を例示するために、複数のこれに限定されない様々な実施形態の例が以下に述べられている。従って、本発明の権利範囲は、特許請求の範囲およびその均等物でのみ限定され、その実施例で限定されるものではないことが理解されなければならない。
【００１３】
図１は、本発明の赤外線温度計１０（非接触医療用温度計、医療用温度計、体温計）の実施形態を示すブロック図である。本実施形態は、赤外線センサーパッケージ／アセンブリ１２と、距離センサー１４と、マイクロプロセッサー１６と、メモリー１８と、ユーザーインターフェイス装置２０と、筐体２２とを有する。筐体２２は、他の各々の構成要素を収容し、且つ、少なくとも１つのボタンと、電子回路および電源を備える回路基板と、を更に有している。
【００１４】
赤外線センサーパッケージ／アセンブリ１２は、赤外線センサーと、ある実施形態では、赤外線センサーの温度、および／または周囲環境の温度を検出する温度センサーと、を有している。赤外線センサーは、一般的に知られているように、電気温度信号に変換され、温度センサーによって計測された赤外線センサーの温度に関する信号とともにマイクロプロセッサー１６に伝達される、対象物または対象の体の部分、例えば対象の額、わきの下、鼓膜等、から放射される熱放射（例えば、赤外線放射）を取得するように構成されている。距離センサー１４は、赤外線温度計１０から電磁波を放射し、電気距離信号に変換されてマイクロプロセッサー１６に伝達される対象から反射された放射した電磁波の少なくとも一部を取得するように構成される。マイクロプロセッサー１６は、その他のものと共に、赤外線センサーパッケージ／アセンブリ１２からの信号に基づいて対象の温度値を測定し、周囲環境または温度計温度を測定し、また、距離センサー１４からの信号と反射光の特徴とに相関性を持たせる操作を用いて赤外線温度計１０と対象との間の距離に基づく距離値を測定するように構成されている。様々な実施形態において、温度信号、距離信号、温度値、距離値、またはこれらのいかなる組み合わせもメモリー１８に記憶されるかもしれない。
【００１５】
メモリー１８は、その中に予め設定された補償情報を含んでいる。この予め設定された補償情報は、臨床試験を行うことによって、実証的に予め設定されても良い。これらの臨床試験は、対象（例えば額）の検出された温度と、対象からの赤外線温度計の距離と、並びに対象の実際の温度および周囲環境または温度計の温度と、を関連付けるかもしれない。これらの臨床試験は、さらに、検出された温度、実際の温度、もしくはそれらの両方の対象の温度と、例えば、実際の口腔もしくは口腔と同等の温度と、を関連付けるかもしれない。よって、口腔温度が例えば華氏９４度から華氏１０８度の間の様々な対象の対象温度が、例えば１センチメートル、５センチメートル、もしくは１０センチメートル単位の増分ごとに、例えば０センチメートル（すなわち、温度計が対象に接触している）から１メートルまでといった、対象からの様々な任意の距離で、赤外線温度計を用いて測定されるかもしれない。ある実施形態では、距離範囲は、赤外線温度計１０が動作可能な距離範囲に対応する。さらに、これらの測定は、例えば華氏６０度から華氏９０度のような様々な周囲環境温度を有する環境で行われるかも知れない。これらのデータは、これによって、例えば距離センサー１４を用いて測定された距離値と、赤外線センサーパッケージもしくはアセンブリ１２を用いて測定された対象の温度値と、また、ある実施形態では、周囲環境温度および／または温度計温度値と、から対象の補償された温度が続いて特定されるかもしれない、ルックアップテーブルまたは数学関数のような補償情報を生成するのに用いられるかもしれない。別の実施形態では、実際の口腔または口腔と同等の温度に関するデータが、これによって、補償された口腔または補償された口腔と同等の温度が、測定された距離値と、測定された対象の温度値と、またある実施形態では、周囲環境温度値および／または温度計温度値と、から特定されるかもしれない補償情報を生成するために、さらに用いられるかもしれない。
【００１６】
例えば、ｄが対象と赤外線温度計１０との間の距離を定義する場合、補償された温度を華氏で得るための予め設定された補償情報は、線形関数または以下に定義された関係式（数式１または数式２および数式３）であるかもしれない。
【００１７】
補償された温度＝対象の温度＋Ａ＊ｄ＋Ｂ（数式１）
【００１８】
補償された温度＝対象の温度＋Ｃ＊ｄ＋Ｄ｛０＜ｄ＜Ｙ｝（数式２）
【００１９】
補償された温度＝対象の温度＋Ｅ＊ｄ＋Ｆ｛Ｙ＜ｄ＜Ｚ｝（数式３）
【００２０】
ここで、Ａ，Ｃ，およびＥは、温度／長さの次元を有する係数であり、Ｂ，Ｄ，およびＦは温度の次元を有する係数であり、そしてＹおよびＺは対象からの距離である。Ａ，Ｂ，Ｃ，Ｄ，Ｅ，Ｆ，Ｙ，およびＺの値は、臨床試験から実証的に特定できるかもしれない。例示のために、また、これには限定されない、下記の代表的な及びおおよその、係数および距離の値が提供される：Ａ＝０．０５，Ｂ＝０．１，Ｃ＝０．０５，Ｄ＝０．２，Ｅ＝０．１５，Ｆ＝０．１，Ｙ＝１５，及びＺ＝３０。しかしながら、当業者ならば分るように、各係数及び距離に、他の値が、赤外線温度計１０の様々な設計の特徴や様相に応じて用いられるかも知れない。
【００２１】
また、数学関数は高次のもの、例えば、下記に示す数式４の二次方程式のように、補償された温度を得るために測定距離に対して線形ではない数学関数、であっても良い。
【００２２】
補償された温度＝対象の温度＋Ｇ＊ｄ２−Ｈ＊ｄ＋Ｌ（数式４）
【００２３】
ここで、Ｇ，Ｈ，およびＬは臨床試験から特定される係数である。例示のために、また、これには限定されない、下記の代表的な及びおおよその、係数の値が提供される：Ｇ＝０．００１，Ｈ＝０．１５，およびＬ＝０．１。しかしながら、当業者ならば分るように、各係数に、他の値が、赤外線温度計１０の様々な設計の特徴や様相に応じて用いられるかも知れない。
【００２４】
補償情報は、代わりに、様々なオフセット値として提供されるかもしれず、これによれば、対象表面からの各距離増加量または距離の範囲に対応するオフセット値がある。様々な実施形態において、これらのオフセットは、対象表面からの各距離増加量または距離の範囲に対して固定であるかもしれない。例えば、様々な実施形態において、オフセット値は、例えば、対象表面からの距離範囲が０ｃｍから５ｃｍ，０ｃｍから２０ｃｍ，または５ｃｍから３０ｃｍにおいて、０．１°Ｆ，０．２°Ｆ，または０．５°Ｆの何れかであるかもしれない。例えば、一実施形態において、オフセット値は、０．０ｃｍから０．１ｃｍでは０．０°Ｆ，０．１ｃｍから３．０ｃｍでは０．１°Ｆ，３．０ｃｍから１５ｃｍでは０．２°Ｆ，および１５．１ｃｍから３０ｃｍでは０．５°Ｆであるかもしれない。あるいは、補償情報は、上述の距離範囲のすべて、またはその一部の、ある距離範囲における、あらゆる対象温度から補償された温度を測定するのに用いられるかもしれない、例えば「最適な」１つのオフセット値であるかもしれない。例えば、「最適な」オフセット値は、例えば、０．１°Ｆ，０．２°Ｆ，または０．５°Ｆのいずれかかもしれない。例えば、一実施形態では、オフセット値は、０．０ｃｍから１０ｃｍの距離範囲では０．１°Ｆ、それより長い距離では０．０°Ｆかもしれない。別の実施形態では、オフセット値は、０．０ｃｍから３０ｃｍの距離範囲では０．１°Ｆ、３０ｃｍより長い距離では０．０°Ｆかもしれない。
【００２５】
別の実施形態では、補償情報は、臨床試験中に収集された、実際の対象温度、計測された対象の温度、周囲環境および／または温度計温度、および距離計測のような、既定の情報から作成され、続いて、計測された距離および計測された対象温度値に最も良く対応するこれらの値をルックアップテーブル内で確認することで、補償された温度が測定されるかもしれないルックアップテーブルの形式であるかもしれない。計測値と、テーブル値とが完全にマッチしない場合には、最も近いテーブル値が用いられるかもしれない、またはテーブル値から補間された追加の値が用いられるかもしれない。別の実施形態では、補償情報は、上述の、１つ以上の手段（例えば、数学関数、オフセット値、ルックアップテーブル）の組み合わせを含むかもしれない。
【００２６】
さらに、上述したように、周囲環境温度値および／または温度計温度値が、補償情報を生成するのに用いられるかもしれない。これらの値は、補償情報に基づいて算出された補償された温度の精度を向上するかもしれないため、補償情報の中にこれらの値を因数として含むのは有益かもしれない。例えば、上述の数学関数は、周囲環境温度および／または温度計温度に基づいて変更されるかもしれない。例えば、第１の最適オフセット値（例えば、０．１°Ｆ）が、周囲環境温度が第１の温度範囲（例えば、６０°Ｆから７５°Ｆ）内のときに用いられるかもしれない、そして、第２の最適オフセット値（例えば、０．２°Ｆ）が、周囲環境温度が第２の温度範囲（例えば、７５°Ｆから９０°Ｆ）内のときに用いられるかもしれない。
【００２７】
マイクロプロセッサー１６は、メモリー１８に記憶された既定の補償情報を用いて補償された温度を測定するために、対象に対応する温度値および赤外線温度計１０と対象との間の距離に対応する距離値とを用いるように構成されている。ある実施形態では、マイクロプロセッサー１６は、この測定を行うために、さらに周囲および／または温度計の温度を用いるように構成されるかもしれない。ある実施形態では、既定の補償情報は、ある程度、周囲および／または温度計の温度に基づくかもしれない。既定の補償情報が、口腔または口腔同等の温度を考慮した既定の情報を含む実施形態では、マイクロプロセッサー１６は、さらに、口腔または口腔同等の温度に対応する補償された温度を測定するように構成されるかもしれない。
【００２８】
マイクロプロセッサー１６は、さらに、１つ以上の補償された温度値をメモリー１８に記憶し、そして、これをユーザーインターフェイス装置２０と通信するかもしれない。様々な実施形態において、マイクロプロセッサーはさらに、ルックアップテーブルに記憶された任意の値から追加の値をメモリー１８に書き込むように構成される。ユーザーインターフェイス装置２０は、補償された温度値をユーザーに伝達するように構成される。例えば、ユーザーインターフェイス装置２０は、例えば、少なくとも補償された温度値を表示可能なディスプレイ、および／または補償された温度値を伝える可聴音を発する、またはアラーム音を鳴らせるように構成されたスピーカーを含むかもしれない。
【００２９】
図２に示すように、フローチャートは、被験者上の対象、例えば被験者の額、で計測された温度に基づいて補償された温度を測定するための方法の実施形態を示す。ステップ１０２では、例えば、赤外線温度計１０を始動するために、例えば、ユーザーによってスタートボタンが押されるといった、補償された温度を測定するためのプロセスが開始される。ステップ１０４では、マイクロプロセッサー１６に伝達される距離信号を生成するために、電磁波を放射し、また、対象から反射された電磁波をとらえるために、距離センサー１４が用いられる。マイクロプロセッサー１６は、距離信号から、マイクロプロセッサーがメモリー１８に記憶するかもしれない、距離値を測定する。ステップ１０６では、マイクロプロセッサー１６に伝達される、対象から放射される熱放射をとらえ温度信号を生成するために、また、随意に、周囲および／または温度計の温度をとらえるために、赤外線センサーパッケージ／アセンブリ１２が用いられる。マイクロプロセッサー１６は、マイクロプロセッサー１６がメモリー１８に記憶するかもしれない、温度値を温度信号から測定する。既定の補償情報がルックアップテーブルを含む際に行われる、随意のステップ１０８では、マイクロプロセッサー１６は、既定の補償情報を用いて、距離値と温度値との間の関係を特定する。ステップ１１０では、マイクロプロセッサー１６は、既定の補償情報に基づいて、補償された温度値を測定する。ステップ１１２では、マイクロプロセッサー１６は、補償された温度をメモリー１８に記憶する。ステップ１１４では、補償された温度値がユーザーインターフェイス２０を用いて伝達される。
【００３０】
本発明の様々な実施形態が特に示され述べられたが、本発明の主旨および要旨を逸脱することなく、形態および細部に様々な変更がおこなわれるかもしれないことが、当業者に理解されるであろう。よって、これらの実施形態は、本発明をこれに限定する例ではなく、本発明は、請求項の要旨と、その均等物でのみ定義されることが理解されるべきである。
【符号の説明】
【００３１】
１０  赤外線温度計（非接触医療用温度計、温度計）
１２  赤外線センサーパッケージ（赤外線センサーアセンブリ）
１４  距離センサー
１６  マイクロプロセッサー
１８  メモリー（メモリーコンポーネント）
２０  ユーザーインターフェイス(ユーザーインターフェイス装置)
２２  筐体
【図１】
0006401175.tif 000002
【図２】
0006401175.tif 000003